(57)【要約】【課題】機器の内部回路と外部機器とを電気的に接続し単純な構造で機器内部の電気部品等を静電気による悪影響から防止し得るコネクタ装置とこれを具備するカメラ又は携帯型情報機器を提供する。【解決手段】機器内部に設けられ機器の外面に露呈する部位を有しこの露呈部位を介して機器と外部機器とを電気的に接続するコネクタ装置において、電気的接続用の端子１８ａと、この端子を保持するハウジング１８ｄと、このハウジングの外面上の一部に設けられるグランド部１８ｃとを備えたコネクタ１８と、機器の外面に一部が露呈した状態でコネクタを機器の取付部１２ａに対して固定する締結部材１９と、グランド部に接触する第１の接触部３１ａと締結部材に接触する第２の接触部３１ｂとを備え機器の取付部とコネクタとを締結部材によって共締めされることで締結部材とグランド部とを電気的に接続するアース部材３１とを具備して構成する。【選択図】図４
2005235592.tif 000002
【特許請求の範囲】
【請求項１】
機器の内部に設けられ当該機器の外面に露呈する部位を有しこの露呈部位を介して当該機器と外部機器とを電気的に接続するコネクタ装置において、
電気的接続用の端子と、この端子を保持するハウジングと、このハウジングの外面上の一部に設けられるグランド部とを備えたコネクタと、
上記機器の外面に一部が露呈した状態で上記コネクタを上記機器の取付部に対して固定する締結部材と、
上記グランド部に接触する第１の接触部と上記締結部材に接触する第２の接触部とを備え、上記機器の上記取付部と上記コネクタとを上記締結部材によって共締めされることで上記締結部材と上記グランド部とを電気的に接続するアース部材と、
を具備してなることを特徴とするコネクタ装置。
【請求項２】
上記グランド部は、上記ハウジングの一部と上記機器の取付部の一部とに挟持される部位に配設され、
上記第１の接触部は、上記グランド部と上記機器の取付部とに挟まれるように配置されていることを特徴とする請求項１に記載のコネクタ装置。
【請求項３】
上記第１の接触部には、上記締結部材が挿通する貫通孔が形成されていることを特徴とする請求項２に記載のコネクタ装置。
【請求項４】
上記第２の接触部は、上記締結部材の軸部が接触することを特徴とする請求項１に記載のコネクタ装置。
【請求項５】
上記第２の接触部は、上記締結部材の軸部の先端を弾性的に押圧して接触することを特徴とする請求項４に記載のコネクタ装置。
【請求項６】
上記アース部材は金属板からなり、その両端には同方向に折り曲げられた曲げ部からなる上記第１の接触部及び上記第２の接触部が形成されており、
上記締結部材によって上記機器の上記取付部と上記コネクタとが共締めされると、この共締め部位にて上記第１の接触部と上記グランド部とが接触すると共に、上記第２の接触部が上記締結部材の軸部の先端部位に弾性的に押圧接触するように構成されていることを特徴とする請求項１に記載のコネクタ装置。
【請求項７】
外部機器の接続用のコネクタを備えたカメラにおいて、
電気的接続用の端子と、この端子を保持するハウジングと、このハウジングの外面上の一部に設けられるグランド部とを備えたコネクタと、
このコネクタが取り付けられる取付部と、
上記機器の外面に一部が露呈した状態で上記コネクタを上記取付部に対して固定する締結部材と、
上記取付部と上記コネクタとを上記締結部材によって共締めされることで上記締結部材と上記グランド部とのそれぞれに接触し両者を電気的に接続するアース部材と、
を具備することを特徴とするカメラ。
【請求項８】
上記アース部材は金属板からなり、その両端には同方向に折り曲げられた曲げ部からなる上記第１の接触部及び上記第２の接触部が形成されており、
上記締結部材によって上記取付部と上記コネクタとが共締めされると、この共締め部位にて上記第１の接触部と上記グランド部とが接触すると共に、上記第２の接触部が上記締結部材の軸部の先端部位に弾性的に押圧接触するように構成されていることを特徴とする請求項７に記載のカメラ。
【請求項９】
外部機器の接続用のコネクタを備えた携帯型情報機器において、
電気的接続用の端子と、この端子を保持するハウジングと、このハウジングの外面上の一部に設けられるグランド部とを備えたコネクタと、
このコネクタが取り付けられる取付部と、
上記機器の外面に一部が露呈した状態で上記コネクタを上記取付部に対して固定する締結部材と、
上記取付部と上記コネクタとを上記締結部材によって共締めされることで上記締結部材と上記グランド部とのそれぞれに接触し両者を電気的に接続するアース部材と、
を具備することを特徴とする携帯型情報機器。
【請求項１０】
上記アース部材は金属板からなり、その両端には同方向に折り曲げられた曲げ部からなる上記第１の接触部及び上記第２の接触部が形成されており、
上記締結部材によって上記取付部と上記コネクタとが共締めされると、この共締め部位にて上記第１の接触部と上記グランド部とが接触すると共に、上記第２の接触部が上記締結部材の軸部の先端部位に弾性的に押圧接触するように構成されていることを特徴とする請求項９に記載の携帯型情報機器。
【発明の詳細な説明】
【技術分野】
【０００１】
この発明は、コネクタ装置及びカメラ及び携帯型情報機器、詳しくは携帯型の電子機器と外部機器とを接続するコネクタ装置のアース技術に関し、静電気による内部電気回路への悪影響を防止し得るコネクタ装置と、これを適用するカメラ及び携帯型情報機器に関するものである。
【背景技術】
【０００２】
近年、内部に電子回路等を備え、使用者が携帯して使用し得るように形成された各種の電子機器、例えばカメラや携帯電話や小型コンピュータ等の携帯型情報機器等（以下、携帯機器と総称する）が広く普及している。
【０００３】
このような携帯機器は、その使用者が手に持って利用されるようになっているために、例えば使用者に帯電した静電気が使用中の携帯機器に向けて放電してしまうことも考えられる。このような場合には、例えば携帯機器における外装部材の外面に露呈されて設けられる固定ネジや同外面上に取り付られる各種のアクセサリ等の主に導電性の金属部分を介して静電気が当該携帯機器の内部に流入してしまうことがある。この場合には、当該携帯機器の内部回路に含まれる電気部品に悪影響を及ぼすことがある。
【０００４】
一方、従来の携帯機器においては、当該携帯機器と外部に接続される各種の機器（以下、外部機器と称する）とを電気的に接続して、例えば電力の供給又は受け渡しやデータ通信やリモコン制御等を行なうための外部機器接続用コネクタ等からなるコネクタ装置を内部に備えてなるものがある。
【０００５】
このようなコネクタ装置は、当該携帯機器の外装部材における側面や底面等に対して取り付け強度を確保するために、例えばネジ等の固定部材によって固設されるようになっているのが普通である。そして、そのコネクタ装置の一部が当該携帯機器の外装部材における側面や底面等に露呈するように配置されている。
【０００６】
この場合において、コネクタ装置を備えた従来の携帯機器においては、その機器の稼動中に、例えばコネクタ装置に対して所定のケーブルを着脱する等の操作を行なうことがある。このとき、操作者の手などに帯電している静電気が、当該コネクタ装置を固定する固定部材である金属製ネジ等を介して機器の内部に設けられる電気回路や電気部品等に流入することがある。この場合には、当該電気回路に含まれる電気部品、特にＣＰＵ (Central Processing Unit) 等をはじめとした集積回路等の電気部品に悪影響を及ぼすことがある。
【０００７】
したがって、従来の各種の携帯機器においては、その内部に流入した静電気によって内部電気回路や電気部品等に悪影響が及ぶのを防ぐための手段について、例えば特開平１１−１５０５４号公報や特開平５−１８９６２５号公報等によって種々の提案がなされ、また一般に実用化されている。
【０００８】
上記特開平１１−１５０５４号公報によって開示されているカメラは、外装部材をカメラ本体部材に固定する固定部材（ネジ）を介して外装部材と負極側の電池接片とが導通するように構成している。この固定部材（ネジ）は一部が外装部材の外面に露呈しており、この露呈部分を介して内部に流入する静電気はカメラ本体部材に確実に流れることになる。したがってこれにより、内部に配設される電気部品は、流入した静電気による悪影響を確実に防止することができるというものである。
【０００９】
また、特開平５−１８９６２５号公報によって開示されているメモリーカード用のコネクタ装置は、複数のコネクタピン端子を覆うグランド板金部材をボルト及びナットを用いて電気基板上に固定されるように構成している。この構成において、上記ナットは電気基板のグランドパターンに接触するように配置されている。これにより、グランド板金はボルト及びナットを介して電気基板のグランドパターンに接地されるようになっている。
【００１０】
以上のように、従来の携帯機器においては、これに対する静電気の内部回路への流入が生じた場合、これを機器の内部に設置されるグランド部へと流すような構成とするのが望ましい。
【特許文献１】特開平１１−１５０５４号公報
【特許文献２】特開平５−１８９６２５号公報
【発明の開示】
【発明が解決しようとする課題】
【００１１】
ところが、従来の携帯機器においては、携帯性を向上させる等の目的から機器自体の小型化及びより軽量化が望まれている。しかしながら、上述のように機器の外部からの静電気を同機器の内部に設置されるグランド部へと流すためのネジやワイヤーハーネス等を新たに追加配置することは、その構成が複雑となってしまうという問題点がある。これと同時に、追加すべき部品を機器内部の所定の位置に配置するための空間的な余裕も必要となってくる。したがってこれにより当該機器自体が大型化したり、その製造コストを低減することが困難になってしまうという問題点がある。
【００１２】
本発明は、上述した点に鑑みてなされたものであって、その目的とするところは、外部機器と携帯機器の内部回路とを電気的に接続し得ると同時に、単純な構造で機器の外部から流入する静電気をグランド部に確実に流すことのできる構成とし、よって機器の内部電気回路や電気部品の静電気による悪影響から防止し得るコネクタ装置と、このコネクタ装置を具備するカメラ又は携帯型情報機器を提供することである。
【課題を解決するための手段】
【００１３】
上記目的を達成するために、本発明によるコネクタ装置は、機器の内部に設けられ当該機器の外面に露呈する部位を有しこの露呈部位を介して当該機器と外部機器とを電気的に接続するコネクタ装置において、電気的接続用の端子と、この端子を保持するハウジングと、このハウジングの外面上の一部に設けられるグランド部とを備えたコネクタと、上記機器の外面に一部が露呈した状態で上記コネクタを上記機器の取付部に対して固定する締結部材と、上記グランド部に接触する第１の接触部と上記締結部材に接触する第２の接触部とを備え、上記機器の上記取付部と上記コネクタとを上記締結部材によって共締めされることで上記締結部材と上記グランド部とを電気的に接続するアース部材とを具備してなることを特徴とする。
【発明の効果】
【００１４】
本発明によれば、外部機器と携帯機器の内部回路とを電気的に接続し得ると同時に、単純な構造で機器の外部から流入する静電気をグランド部に確実に流すことのできる構成とし、よって機器の内部電気回路や電気部品の静電気による悪影響から防止し得るコネクタ装置と、このコネクタ装置を具備するカメラ又は携帯型情報機器を提供することができる。
【発明を実施するための最良の形態】
【００１５】
以下、図示の実施の形態によって本発明を説明する。  
図１〜図３は、本発明の一実施形態のコネクタ装置を具備するカメラを示し、図１は当該カメラの主に前面側及び右側面を示す外観斜視図である。図２は図１のカメラの主に底面及び左側面を示す外観斜視図である。図３は図１のカメラの主要構成部材を示す分解斜視図である。また、図４〜図７は本実施形態のコネクタ装置を示し、図４は図１のカメラの一部であって主にコネクタ装置の配設部位を拡大して示す要部拡大斜視図である。図５は図４のコネクタ装置の一部であって主にコネクタアース板の配設される部位の構成を拡大して示す要部拡大分解斜視図である。図６は図４のＡ−Ａ線に沿う部位に相当する断面図であって、コネクタアース板がコネクタハウジングの取付部に配設され、かつコネクタアース板の第１の接触部がコネクタのコネクタグランド板と中カバーの取付部とに挟持された状態を示している。図７は図４のＡ−Ａ線に沿う断面図であって、図６の状態においてコネクタアース板とコネクタハウジングの取付と中カバーの取付部とが締結部材によって共締めされた状態を示している。
【００１６】
以下に説明する一実施形態は、光学像を画像として取得する携帯機器としてのカメラに本発明のコネクタ装置を適用した場合の例を示すものである。
【００１７】
まず、本発明のコネクタ装置を具備するカメラの構成についての概略を図１〜図３によって以下に説明する。
【００１８】
本実施形態のカメラ１は、前面側を覆う前側カバー１１と、背面側を覆う後側カバー１３と、両者に挟持され上面及び底面及び両側面を覆う中カバー１２との三部材が組み合わさった形態で構成される外装部材によって、その外面が覆われている。
【００１９】
この外装部材（１１，１２，１３）によって形成される内部空間には、図３に示すように被写体像を形成する撮影光学系やこの撮影光学系をその光軸に沿う方向に移動させる駆動部材や撮影光学系によって結像される光学像を受けて光電変換するＣＣＤ等の撮像素子及びこの撮像素子からの出力信号を伝達するフレキシブルプリント基板等を備えたレンズ鏡枠ユニット２０と、当該カメラ１を統括的に制御する制御回路等を形成する各種の電気部品が実装される主基板２１と、閃光発光装置や測光装置や電源装置や液晶表示装置（いずれも特に図示せず）等を保持し当該カメラ１の本体部分を構成する本体フレーム２２等がそれぞれ所定の位置に配設され固定保持されている。
【００２０】
前側カバー１１の前面側（図１〜図３参照）には、上記レンズ鏡枠ユニット２０の撮影光学系における対物レンズ光学系に対応する位置に設けられ外部からの光束を撮影光学系へと入射させる開口となる撮影レンズ窓１１ａと、閃光発光装置の閃光発光部に対応する位置に設けられ当該閃光発光部から閃光を出射させる開口となる閃光発光窓１１ｂ等が設けられている。また、この前側カバー１１の底面側（図２参照）には三脚等のアクセサリ機器を装着するための三脚ネジ孔１１ｃ等が形成されている。
【００２１】
中カバー１２には、その内側における底面側には、後述するコネクタ１８（図３参照）をコネクタ固定ネジ１９（締結部材）によって固定保持しコネクタ１８を取り付ける取付部となるコネクタ固定台座部１２ａ等が形成されている。なお、このコネクタ１８の構成及び当該コネクタ１８の中カバー１２への取り付け部位の構成についての詳細は後述する（図４〜図７参照）。
【００２２】
また、この中カバー１２の底面側には電池室１２ｃ（図３参照）が設けられている。この電池室１２ｃに対向する部位には電池室蓋１５が配設されている。この電池室蓋１５は、電池室１２ｃを外部から覆い遮蔽する位置と同電池室１２ｃの内部を開放する位置との間で回動自在となるように中カバー１２の固定部に軸支されている。
【００２３】
さらに、中カバー１２の上面側には、写真撮影動作をおこなう際に操作するシャッターボタン１６（図１及び図３参照）や当該カメラ１の各種の設定等をおこなう際に操作する設定ダイアル１７（図１及び図２参照。図３には図示せず）等の操作部材がそれぞれ所定の位置に配設されている。
【００２４】
そして、中カバー１２の側面がわ、即ち当該カメラ１の正面側（前面側）から見て右側面がわ（図１及び図３参照）には、通し孔１４ａを備え閉塞された環形状を形成する吊り環１４が中カバー１２に対して一体となるように固設されている。この吊り環１４の通し孔１４ａには、例えば当該カメラ１の携帯時に利用する吊りひも（ストラップ）等を通すことができるようになっている。
【００２５】
次に、上記カメラ１の内部に設けられるコネクタ装置の構成について、図２及び図４〜図７を用いて以下に説明する。
【００２６】
本実施形態のカメラ１におけるコネクタ装置は、携帯機器としての本カメラ１の内部回路と外部機器（図示せず）、例えば当該カメラ１で取得した画像データを保存するための画像データ記録装置や当該カメラ１の電源電池に対して給電しこれを充電するための充電装置等との間を電気的に接続し得うるように設けられているものである。
【００２７】
このコネクタ装置は、電気的接続用の端子であるコネクタピン１８ａ及びコネクタ端子１８ｂと、このコネクタピン１８ａ及びコネクタ端子１８ｂ（端子）を保持するハウジングであり例えばプラスチック等の樹脂製からなるコネクタハウジング１８ｄと、このコネクタハウジング１８ｄの外面上の一部に設けられコネクタ端子１８ｂの１つの端子と接続されているグランド部であるコネクタグランド板１８ｃとを備えたコネクタ１８と、このコネクタ１８を本カメラ１の取付部であるコネクタ固定台座部１２ａに対して固定する締結部材でありコネクタ固定部材であるコネクタ固定ネジ１９と、このコネクタ固定ネジ１９（締結部材）とコネクタグランド板１８ｃとを電気的に接続するアース部材であるコネクタアース板３１等によって主に構成されている。
【００２８】
コネクタ１８の構成部材のうちコネクタピン１８ａ及びコネクタ端子１８ｂは、本カメラ１の内部回路と外部機器との接続を確保するために設けられているものである。このうちコネクタ端子１８ｂは、コネクタハウジング１８ｄの外面側に固設される端子群であって、各端子は本カメラ１の内部回路に電気的に接続されるフレキシブルプリント基板３２（図４において二点鎖線で示す）が接続されるようになっている。これにより、コネクタ１８と本カメラ１の内部回路との間で電気的な接続が確保されるようになっている。
【００２９】
また、コネクタピン１８ａは、複数の針状部材からなる端子群であって、各端子の基端部はコネクタハウジング１８ｄの所定の部位に固定保持されていると共に、同コネクタハウジング１８ｄの内部においてコネクタ端子１８ｂと電気的に接続されている。
【００３０】
一方、コネクタピン１８ａの各端子の先端部は、本カメラ１の外面であって中カバー１２の底面側の所定の部位に形成される凹部１２ｄ（図２参照）において、その一部が露呈するように配設されている。この場合において、各端子の露呈部は、例えば所定の間隔を持って整列した形態で配置される。
【００３１】
そして、コネクタピン１８ａの各端子の先端露呈部には、例えば外部機器（図示せず）から延出される接続ケーブルのコネクタ部（図示せず）等が接続されるようになっている。これにより、本カメラ１の内部回路と外部機器とは、コネクタ１８を介して電気的な接続が確保されるようになっている。
【００３２】
コネクタ１８は、二本のコネクタ固定ネジ１９によって中カバー１２の内部の所定の部位に固定保持されている。この場合において中カバー１２の内側の底面側にはコネクタ固定台座部１２ａ（二箇所）が形成されている。このコネクタ固定台座部１２ａにはコネクタ固定ネジ１９を挿通し得る直径の貫通孔１２ｂが穿設されている。
【００３３】
一方、コネクタ１８を中カバー１２のコネクタ固定台座部１２ａに固定保持する際に、コネクタ固定台座部１２ａに対応するコネクタハウジング１８ｄの所定の部位には取付台部１８ｅが突設されている。そして、この取付台部１８ｅにはコネクタ固定ネジ１９に対応するネジ孔（下孔）１８ｆが形成されている。
【００３４】
したがって、コネクタ固定ネジ１９は、中カバー１２のコネクタ固定台座部１２ａの貫通孔１２ｂの外面側から内側に向けて挿通され、コネクタ固定台座部１２ａを介して取付台部１８ｅのネジ孔１８ｆにセルフタップによりネジ溝を形成して螺合するようになっている（図５又は図７参照）。
【００３５】
なお、コネクタハウジング１８ｄの一部を形成する取付台部１８ｅにおいて、上記コネクタ固定台座部１２ａに対向配置される面には、コネクタグランド板１８ｃが当該コネクタハウジング１８ｄと一体となるように配設されている。このコネクタグランド板１８ｃは例えば金属板等の導電性部材によって形成されるものである。そして、このコネクタグランド板１８ｃは当該コネクタ１８のコネクタハウジング１８ｄの内部において、当該コネクタ１８のグランド端子に導通しているものである（図示せず）。
【００３６】
さらに、本実施形態のコネクタ装置においては、コネクタ１８の取付台部１８ｅを抱き込むような形態で配置されるアース部材であるコネクタアース板３１を備えている。このコネクタアース板３１は、例えば金属等の導電性部材からなり例えば板ばね等の板状部材を折り曲げて形成されるものである。即ち、このコネクタアース板３１は、コネクタハウジング１８ｄに取り付けられた状態で、その取付台部１８ｅの両側面部を抱き込むように保持する保持腕部３１ｄと、同状態でコネクタグランド板１８ｃに接触する第１の接触部３１ａと、同状態でコネクタ固定ネジ１９に接触する第２の接触部３１ｂとを備えて形成されている。
【００３７】
この場合において、上記保持腕部３１ｄと第１の接触部３１ａと第２の接触部３１ｂとは、いずれも同方向に折り曲げられて形成され、かつ弾性を有して形成されている。
【００３８】
そして、第１の接触部３１ａには、その略中央部にコネクタ固定台座部１２ａの貫通孔１２ｂ及び取付台部１８ｅのネジ孔１８ｆに対応しコネクタ固定ネジ１９を挿通させる貫通孔３１ｅが形成されている。
【００３９】
また、第２の接触部３１ｂには二本のスリット３１ｃが設けられ、これにより三分割されて三つの腕部３１ｂａ，３１ｂｂを形成している。この第２の接触部３１ｂの三つの腕部３１ｂａ，３１ｂｂのうち中央の腕部３１ｂａには、当該コネクタ１８を中カバー１２に組み込んだ状態としたときにコネクタ固定ネジ１９の軸部先端が接触するようになっている。また、他の腕部３１ｂｂは、同状態にて取付台部１８ｅの外面を自己の弾性によって抑え込むようになっている。さらにまた、保持腕部３１ｄも、同状態にて取付台部１８ｅの両側面部を自己の弾性力によって抱き込むようになっている。
【００４０】
このように形成されるコネクタアース板３１は、コネクタ１８の取付台部１８ｅに取り付けられ、その状態のコネクタ１８が中カバー１２のコネクタ固定台座部１２ａにコネクタ固定ネジ１９を用いて固定される。その際に、コネクタアース板３１の第１の接触部３１ａは、コネクタ固定台座部１２ａと取付台部１８ｅ（のコネクタグランド板１８ｃ）との間に挟持された状態で共締めされるようになっている。さらに、コネクタ固定ネジ１９の軸部先端は第２の接触部３１ｂに接触するようになっている。したがってこれにより、コネクタ固定ネジ１９とコネクタグランド板１８ｃとが電気的に接続するようになっている。
【００４１】
このように構成される本実施形態のコネクタ装置において、コネクタ１８をカメラ１の所定の部位に取り付ける際の作用を主に図６及び図７を用いて以下に説明する。
【００４２】
まず、コネクタ１８の取付台部１８ｅに対してコネクタアース板３１を取り付ける（本実施形態では図４に示すように二箇所）。このとき、コネクタアース板３１の第１の接触部３１ａは取付台部１８ｅのコネクタグランド板１８ｃに接触した状態で、かつ貫通孔３１ｅと取付台部１８ｅのネジ孔１８ｆとを合致させた状態とする。また、第２の接触部３１ｂの各腕部３１ｂａ，３１ｂｂは同取付台部１８ｅの他方の面を自己の弾性力によってネジ孔１８ｆの軸方向に押圧した状態とする。そして、保持腕部３１ｄは取付台部１８ｅの両側面部を自己の弾性力によってネジ孔１８ｆの軸方向とは直交する方向に押圧した状態とする。これにより、コネクタアース板３１は取付台部１８ｅに対して固定保持される。
【００４３】
こうしてコネクタアース板３１を所定の部位（取付台部１８ｅ）に取り付けたコネクタ１８を、カメラ１の中カバー１２の所定の位置に固設する。そのためには、まずコネクタ１８のネジ孔１８ｆとコネクタ固定台座部１２ａの貫通孔１２ｂとを合致させた状態とする。このときの状態が図６に示す状態である。
【００４４】
つまり、この状態においては、コネクタ固定台座部１２ａの貫通孔１２ｂと、コネクタアース板３１の貫通孔３１ｅと、コネクタ１８のネジ孔１８ｆとが合致することによって所定の挿通孔が形成されることになる。
【００４５】
この挿通孔に対してコネクタ固定ネジ１９を挿通及び螺合させる。この場合において、コネクタ固定ネジ１９は、まず本カメラ１（の中カバー１２）の外面側から内側に向けて、即ち図６に示す矢印Ｘ方向に向けて貫通孔１２ｂを挿通する。その後、当該コネクタ固定ネジ１９はネジ孔１８ｆに螺合する。そして、コネクタ固定ネジ１９の軸部先端は取付台部１８ｅの他の面（コネクタグランド板１８ｃの配設されていない面）から突出し、第２の接触部３１ｂのうち真ん中の腕部３１ｂａに接触する。
【００４６】
さらに、コネクタ固定ネジ１９の軸部が突出方向に進むと、コネクタ固定ネジ１９は腕部３１ｂａをその弾性力に抗して上記矢印Ｘ方向へと押し上げる。そして、腕部３１ｂａは、図７の二点鎖線で示す位置から同図実線で示す位置にまで移動する。これにより、腕部３１ｂａは、自己の弾性力によりコネクタ固定ネジ１９の軸部先端に常に押し付けられ両者が接触した状態が維持される。
【００４７】
なお、このときコネクタアース板３１の第２の接触部３１ｂのうち他の腕部３１ｂｂは、コネクタ固定台座部１２ａの他の面に押し付けられた状態が維持されているので、コネクタアース板３１のコネクタ固定台座部１２ａに対する取り付け状態も常に確保されている状態にある。
【００４８】
このように、図７に示す状態においては、コネクタアース板３１の第１の接触部３１ａは、コネクタ固定台座部１２ａと取付台部１８ｅ（のコネクタグランド板１８ｃ）との間に挟持された状態で共締めされている。これと同時に、上述のようにコネクタ固定ネジ１９の軸部先端は第２の接触部３１ｂ（の腕部３１ｂａ）に接触するようになっている。そたがってこれによりコネクタ固定ネジ１９とコネクタグランド板１８ｃとがコネクタアース板３１を介して電気的に接続される。
【００４９】
以上説明したように上記一実施形態によれば、一部（第２の接触部３１ｂ）がコネクタ固定ネジ１９の軸部先端に接触すると共に、他の一部（第１の接触部３１ａ）がコネクタ１８のグランド端子に導通するコネクタグランド板１８ｃに接触するコネクタアース板３１を具備して構成している。したがって、コネクタ固定ネジ１９を介してカメラ１の内部に流入する静電気は、確実にグランド端子へと導かれることになる。これにより、当該静電気によるカメラ１の内部電気回路や電気部品に対して悪影響が及ぶことを防ぐことができる。この場合において、静電気の流入経路となるコネクタ固定ネジ１９は、コネクタ１８をカメラ１の中カバー１２に固定するために設けられているものである。このコネクタ固定ネジ１９を利用することにより、グランド部へと流すためのワイヤーハーネス等の電気部材を新たに設ける必要がない。したがって、内部部材配置に影響することなく、また部材の増加を伴うこともなく、極めて容易かつ安価にに所望の効果を得ることができる。
【００５０】
また、コネクタアース板３１の第１の接触部３１ａは、コネクタグランド板１８ｃとカメラ１の中カバー１２のコネクタ固定台座部１２ａ（取付部）とによって挟持した形態で取り付けられるように構成している。したがって、第１の接触部３１ａとコネクタグランド板１８ｃとの間の接触を確実なものとすることができる。
【００５１】
さらに、コネクタアース板３１の第２の接触部３１ｂ（の腕部３１ｂａ）は弾性を有するように形成してあるので、この第２の接触部３１ｂはコネクタ固定ネジ１９（締結部材）の軸部先端を弾性的に押圧するようにしている。これにより、両者の接触を確実なものとし、調整等を不要としながら安定した導通状態を確保することができる。
【００５２】
そして、コネクタアース板３１の第１の接触部３１ａには、コネクタ固定ネジ１９（締結部材）が挿通する貫通孔３１ｅを形成したので、コネクタアース板３１を所定の位置に確実に保持することができる。
【００５３】
なお、上述の一実施形態のコネクタ装置おけるコネクタアース板３１の第２の接触部３１ｂは、図８に示すような形態としてもよい。図８は、上述の一実施形態のコネクタ装置おけるコネクタアース板の一変形例を示す要部拡大斜視図である。
【００５４】
この図８に示す一変形例では、上述の一実施形態のコネクタアース板３１の第２の接触部３１ｂにおける二本のスリット３１ｃを廃した形態の第２の接触部３１Ａｂとしている点が異なるのみである。その他の部位については、上述の一実施形態と全く同様に形成されている。
【００５５】
このように形成したコネクタアース板３１Ａにおいては、これをコネクタ装置に取り付けてコネクタ固定ネジ１９にてコネクタ１８を固設したときに、第２の接触部３１Ａｂがコネクタ固定ネジ１９を押圧する力量が、上述の一実施形態におけるコネクタアース板３１とは異なるものとすることができる。つまり、第２の接触部３１Ａｂとコネクタ固定ネジ１９の軸部先端との接触状態を調整することができる。
【００５６】
一方、上述の一実施形態のコネクタ装置おけるコネクタアース板３１の第１の接触部３１ａは、図９に示すような形態としてもよい。図９は、上述の一実施形態のコネクタ装置おけるコネクタアース板の別の変形例を示す要部拡大斜視図である。
【００５７】
この図９に示すコネクタアース板の別の変形例では、上述の一実施形態のコネクタアース板３１の第１の接触部３１ａに形成される貫通孔３１ｅに代えて、略Ｕ字形状の切欠部３１Ｂｅをコネクタアース板３１Ｂの第１の接触部３１Ｂａに形成している点が異なるのみである。その他の部位については、上述の一実施形態と全く同様に形成されている。
【００５８】
この場合において、当該コネクタアース板３１Ｂの第１の接触部３１Ｂａの切欠部３１Ｂｅは、コネクタ固定ネジ１９が挿通し得る幅寸法を有するように設定される。
【００５９】
このように形成したコネクタアース板３１Ｂにおいては、これをコネクタ装置に取り付けてコネクタ固定ネジ１９にてコネクタ１８を固設する際に、より容易にコネクタ固定ネジ１９を挿通させることができる。したがって、コネクタアース板３１Ｂを所定の位置に確実に保持する効果を損なうことなく、組み立て工程の効率化に寄与することができる。
【図面の簡単な説明】
【００６０】
【図１】本発明の一実施形態のコネクタ装置を具備するカメラの主に前面側及び右側面を示す外観斜視図。
【図２】図１のカメラの主に底面及び左側面を示す外観斜視図。
【図３】図１のカメラの主要構成部材を示す分解斜視図。
【図４】図１のカメラの一部であって主にコネクタ装置の配設部位を拡大して示す要部拡大斜視図。
【図５】図４のコネクタ装置の一部であって主にコネクタアース板の配設される部位の構成を拡大して示す要部拡大分解斜視図。
【図６】図４のＡ−Ａ線に沿う部位に相当する断面図であって、コネクタアース板がコネクタハウジングの取付部に配設され、かつコネクタアース板の第１の接触部がコネクタのコネクタグランド板と中カバーの取付部とに挟持された状態を示す図。
【図７】図４のＡ−Ａ線に沿う断面図であって、図６の状態においてコネクタアース板とコネクタハウジングの取付と中カバーの取付部とが締結部材によって共締めされた状態を示す図。
【図８】図４のコネクタ装置おけるコネクタアース板の一変形例を示す要部拡大斜視図。
【図９】図４のコネクタ装置おけるコネクタアース板の別の変形例を示す要部拡大斜視図。
【符号の説明】
【００６１】
１……カメラ
１１……前側カバー（外装部材）
１２……中カバー（外装部材）
１２ａ……コネクタ固定台座部
１２ｂ……貫通孔
１３……後側カバー
１４……吊り環
１４ａ……通し孔
１８……コネクタ
１８ａ……コネクタピン
１８ｂ……コネクタ端子
１８ｃ……コネクタグランド板
１８ｄ……コネクタハウジング
１８ｅ……取付台部
１８ｆ……ネジ孔
１９……コネクタ固定ネジ
２０……レンズ鏡枠ユニット
２１……主基板
２２……本体フレーム
３１・３１Ａ・３１Ｂ……コネクタアース板
３１ａ・３１Ｂａ……第１の接触部
３１ｂ３１Ａｂ……第２の接触部
３１ｂａ・３１ｂｂ……腕部
３１ｃ……スリット
３１ｄ……保持腕部
３１ｅ……貫通孔
３１Ｂｅ……切欠部
３２……フレキシブルプリント基板
代理人弁理士伊藤進
【図１】
2005235592.tif 000003
【図２】
2005235592.tif 000004
【図３】
2005235592.tif 000005
【図４】
2005235592.tif 000006
【図５】
2005235592.tif 000007
【図６】
2005235592.tif 000008
【図７】
2005235592.tif 000009
【図８】
2005235592.tif 000010
【図９】
2005235592.tif 000011